(57)【要約】【課題】大きな風量を得ることが可能で、かつ、清掃に係る作業性がよい空気清浄機を提供する。【解決手段】本体２の前面側から吸引する第１空気流路５３と、本体２の側面側から吸引する第２空気流路５４とを設けるとともに、フィルタ５０を、本体２の前面側から側面にかけて略凹字形状に配置しており、本体２は、その本体ケース３と、本体ケース３の側面に着脱可能に取り付けた側面カバー２４と、本体ケース３の前面に着脱可能に取り付けた前面カバー３３と、本体ケース３の後面に固定した後面カバー３９とからなる構成とする。具体的には、本体ケース３において、その後面側に係止孔１７を設けるとともに、前面側に係止穴１９を設け、側面カバー２４において、本体ケース３の側の内面を円弧面とし係止孔１７に所定の遊びをもって係止する第１係止部２７を設けるとともに、内向きに突出し係止穴１９に所定の遊びをもって係止する第２係止部２９を設ける。【選択図】　図３
2004069274.tif 000002
【特許請求の範囲】
【請求項１】
本体内部の略中央に支持されたモータと、該モータの回転軸に固定されたファンと、該ファンにより吸引する空気流路に配設されたフィルタとからなる空気清浄機において、
前記空気流路として、前記本体の前面側から吸引する第１空気流路と、本体の側面側から吸引する第２空気流路とを設けるとともに、
前記フィルタを、本体の前面側から側面にかけて略凹字形状に配置しており、
前記本体は、その本体ケースと、該本体ケースの側面に着脱可能に取り付けた側面カバーと、前記本体ケースの前面に着脱可能に取り付けた前面カバーと、前記本体ケースの後面に固定した後面カバーとからなる構成としたことを特徴とする空気清浄機。
【請求項２】
前記本体ケースにおいて、その後面側に係止孔を設けるとともに、前面側に係止穴を設け、前記側面カバーにおいて、前記本体ケースの側の内面を円弧面とし前記係止孔に所定の遊びをもって係止する第１係止部を設けるとともに、内向きに突出し前記係止穴に所定の遊びをもって係止する第２係止部を設けたことを特徴とする請求項１に記載の空気清浄機。
【請求項３】
前記本体ケースにおいて、その前面側の上下いずれか一方に引掛穴を設けるとともに、上下いずれか他方に係止孔を設け、
前記側面カバーの前面側に係止段部を設けるとともに、
前記前面カバーの外周縁を前記係止段部に係合する形状とし、前記引掛穴に対応する引掛部を設けるとともに、前記係止孔に係止する係止部を設けたことを特徴とする請求項１または請求項２に記載の空気清浄機。
【発明の詳細な説明】
【０００１】
【発明の属する技術分野】
本発明は、空気清浄機に関するものである。
【０００２】
【従来の技術】
本願発明に関連する先行技術文献情報としては次のものがある。
【０００３】
【特許文献１】
特開２０００−５５４０号公報（段落［００２５］、図２）
【０００４】
従来の空気清浄機は、前記特許文献１に記載されているように、フィルタ、モータおよびファンを有し、ファンによる吸引力で室内の空気を前面側から吸引し、フィルタを通過させて集塵・脱臭を行ない、清浄な空気を室内に循環供給するものである。
【０００５】
【発明が解決しようとする課題】
しかしながら、前記空気清浄機では、室内の空気の清浄効率を向上するには、風量を確保するためにモータおよびファンの容量を大きくする必要があり、このようにした場合には本体が大型化するという問題がある。
【０００６】
そこで、本発明では、大きな風量を得ることが可能で、かつ、清掃に係る作業性がよい空気清浄機を提供することを課題とするものである。
【０００７】
【課題を解決するための手段】
前記課題を解決するため、本発明の空気清浄機は、本体内部の略中央に支持されたモータと、該モータの回転軸に固定されたファンと、該ファンにより吸引する空気流路に配設されたフィルタとからなる空気清浄機において、前記空気流路として、前記本体の前面側から吸引する第１空気流路と、本体の側面側から吸引する第２空気流路とを設けるとともに、前記フィルタを、本体の前面側から側面にかけて略凹字形状に配置しており、前記本体は、その本体ケースと、該本体ケースの側面に着脱可能に取り付けた側面カバーと、前記本体ケースの前面に着脱可能に取り付けた前面カバーと、前記本体ケースの後面に固定した後面カバーとからなる構成としている。
【０００８】
前記空気清浄機によれば、第１空気流路を介して前方から本体内に室内の空気が吸引されるとともに、第２空気流路を介して側方から本体内に室内の空気が吸引されるため、吸引する風量および循環供給する風量を増加することができる。その結果、大きな風量を得るためにモータやファンを大容量のものを使用する必要はない。また、前面カバーおよび側面カバーを着脱可能に取り付けることができるため、これらのカバーを清掃する際や、フィルタを取り外して清掃する際の作業性を向上できる。
【０００９】
前記空気清浄機では、前記本体ケースにおいて、その後面側に係止孔を設けるとともに、前面側に係止穴を設け、前記側面カバーにおいて、前記本体ケースの側の内面を円弧面とし前記係止孔に所定の遊びをもって係止する第１係止部を設けるとともに、内向きに突出し前記係止穴に所定の遊びをもって係止する第２係止部を設けることが好ましい。このようにすれば、側面カバーを着脱する作業は、本体に対する前後方向、および、係止部を支点とした回動方向のいずれでも可能になる。その結果、着脱作業性の向上を図ることができる。
【００１０】
また、前記本体ケースにおいて、その前面側の上下いずれか一方に引掛穴を設けるとともに、上下いずれか他方に係止孔を設け、前記側面カバーの前面側に係止段部を設けるとともに、前記前面カバーの外周縁を前記係止段部に係合する形状とし、前記引掛穴に対応する引掛部を設けるとともに、前記係止孔に係止する係止部を設けることが好ましい。このようにすれば、側面カバーにガタツキを生じさせることなく、確実に取付状態を維持できる。
【００１１】
【発明の実施の形態】
以下、本発明の実施の形態を図面に従って説明する。
図１は、本発明の第１実施形態に係る空気清浄機１を示す。この空気清浄機１は、大略、本体２と、モータ４４と、ファン４６と、フィルタ５０とからなる。
【００１２】
前記本体２は、大略、本体ケース３と、側面カバー２４Ａ，２４Ｂと、前面カバー３３と、後面カバー３９と、上面カバー４３とからなり、これらは全て合成樹脂によって形成されている。
【００１３】
前記本体ケース３は、図１および図２（Ａ），（Ｂ）に示すように、前壁４と、該前壁４の両端から後側に延びる側壁５と、該側壁５の後端から外側に延びるブラケット壁部６とからなる後面開口の矩形状の箱体からなる。前記前壁４の後面には、清浄した空気を室内に循環供給するインボリュート通路７を形成するための隔壁８が一体に突設されている。この隔壁８の上端は、清浄した空気を室内に循環供給する空気排出口９を構成する。また、この隔壁８の開口した後端は、後プレート１０をネジ止めすることにより閉塞されている。なお、この後プレート１０には、インボリュート通路７の略中央に位置するように空気流通口１１が設けられている。また、前記前壁４および側壁５の上端部には外向きに膨出する上側膨出部１２が設けられるとともに、下端部には同様に外向きに膨出する下側膨出部１３が設けられ、これらによってフィルタ５０を位置決めして取り付けるための段部１２ａ，１３ａが形成されている。なお、前記膨出部１２，１３は、その側部の外形が前記ブラケット壁部６と面一に一致する形状とされている。
【００１４】
また、前記前壁４には、前方から吸引した室内の空気を前記インボリュート通路７内に前側から通すための多数の第１空気流通口１４が形成されている。また、前記側壁５には、側方から吸引した室内の空気を前記インボリュート通路７内に後側から通すための多数の第２空気流通口１５が形成されている。さらに、前記ブラケット壁部６には、後方から吸引した室内の空気を前記第２空気流通口１５の外側に通し、該第２空気流通口１５または前記第１空気流通口１４を通して前記インボリュート通路７内に空気を通すための多数の第３空気流通口１６が形成されている。
【００１５】
本実施形態では、前記本体ケース３には、側面カバー２４Ａ，２４Ｂを着脱可能に取り付けるための第１係止孔１７と係止穴１９とが設けられている。また、本体ケース３には、前面カバー３３を着脱可能に取り付けるための引掛穴２１と第２係止孔２２とが設けられている。
【００１６】
前記第１係止孔１７は、図２および図４に示すように、前記本体ケース３において後面側である前記ブラケット壁部６の上下と中央の３カ所に設けられている。この第１係止孔１７には、内向きに突出する係止舌片１８が設けられている。なお、この係止舌片１８と対向する第１係止孔１７の縁との間隔は、後述する側面カバー２４Ａ，２４Ｂの第１係止部２７を所定の遊びをもって挿通係止可能な大きさとされている。
【００１７】
前記係止穴１９は、図３および図４に示すように、前記本体ケース３において前面側である前記膨出部１２，１３の前面側の側部の２カ所に左右それぞれ設けられている。この係止穴１９は、前後方向に延びるように切り欠いた溝からなり、その外側端部には係止突部２０が設けられている。この係止突部２０の突出量は、後述する側面カバー２４Ａ，２４Ｂの第２係止部２９を所定の遊びをもって係止可能な大きさとされている。
【００１８】
前記引掛穴２１は、図２に示すように、前記本体ケース３の前面側である上側膨出部１２の両側部と中央の３カ所に設けられている。この引掛穴２１は、下向きに窪ませた凹部からなる。
【００１９】
前記第２係止孔２２は、前記引掛穴２１とは逆の下側　膨出部の両側に設けられている。この第２係止孔２２は、貫通孔により構成している。なお、図２中、２３は、後述する後面カバー３９に形成する位置決め片４２の挿通孔である。
【００２０】
前記側面カバー２４Ａ，２４Ｂは、左右対称な形状をなすもので、図３および図４に示すように、前記本体ケース３の側面に着脱可能に取り付けられている。この側面カバー２４Ａ，２４Ｂには、空気を通すための多数のスリット２５が水平方向に延びるように設けられている。なお、図３中、２６は、前面カバーを外す際に指を引っ掛け易くするための凹部である。
【００２１】
本実施形態では、側面カバー２４Ａ，２４Ｂには、前記本体ケース３に着脱可能に取り付けるために、前記第１係止孔１７に係止する第１係止部２７と、係止穴１９に係止する第２係止部２９とが設けられている。
【００２２】
前記第１係止部２７は、その後端から後向き突出し、かつ、前記本体ケース３の側に位置する内面を円弧面とした形状をなし、その外面側には緩やかに突出する係止突部２８が設けられている。なお、前記円弧面は、側面カバー２４Ａ，２４Ｂを着脱する作業において、該第１係止部２７を支点として回動させて行う場合に、第１係止孔１７の縁に干渉することを防止するものである。
【００２３】
前記第２係止部２９は、その前端から内向きに突出する弾性片３０の先端に後面側に向けて突出する係止突部３１を設けたものである。また、側面カバー２４Ａ，２４Ｂの前面側端縁には、後述する前面カバー３３の外周縁が係止する係止段部３２が設けられている。
【００２４】
前記前面カバー３３は、図３および図５（Ａ）に示すように、前記本体ケース３の前面に着脱可能に取り付けられている。具体的には、この前面カバー３３は、その外周縁が前記係止段部３２に係合するとともに、前記本体ケース３の膨出部１２，１３をそれぞれ被覆する形状をなす。この前面カバー３３には、空気を通すための多数のスリット３４が水平方向に延びるように設けられている。
【００２５】
本実施形態では、前面カバー３３には、前記本体ケース３に着脱可能に取り付けるために、前記引掛穴２１に対応する引掛部３５と、前記第２係止孔２２に貫通係止する係止部３６とが設けられている。
【００２６】
前記引掛部３５は、前面カバー３３の上端縁から下向きに突設した突片からなる。
【００２７】
前記係止部３６は、弾性片３７の先端に係止突部３８を設けたものである。
【００２８】
前記後面カバー３９は、図１および図５（Ｂ）に示すように、前記本体ケース３の後面にネジ止めによって固定されている。この後面カバー３９には、前記本体ケース３の第３空気流通口１６と対応する位置に多数の通気孔４０が設けられている。また、この通気孔４０の内側には、該通気孔４０から吸引した室内の空気が直接ファンに至らないようにするための仕切壁４１が設けられている。また、この後面カバー３９には、図４に示すように、本体ケース３の側壁５と所定間隔をもって位置するように前記挿通孔２３を貫通し、配設するフィルタ５０の端部を位置決めする位置決め片４２が設けられている。
【００２９】
前記上面カバー４３は、前記本体ケース３のインボリュート通路７の空気排出口９と一致する格子状に区画された空気排出口（図示せず）が設けられるとともに、操作パネル（図示せず）を配設したものである。
【００３０】
前記モータ４４は、前記本体ケース３のインボリュート通路７内に固定されており、その回転軸４５は後面カバー３９に向け延びるように配置されている。
【００３１】
前記ファン４６はシロッコファンであり、円形の支持板４７と、該支持板４７の外周部に配設された多数の羽根４８とからなる。このファン４６は、支持板４７の取付孔に前記モータ４４の回転軸４５を挿入し、ナット等で固定されている。また、前記支持板４７には、後プレート１０の空気流通口１１と一致する空気流通口４９が形成されている。
【００３２】
前記フィルタ５０は、０．３μｍの微粒子に対して９９．９７％以上の初期集塵効率を備えたＨＥＰＡ（Ｈｉｇｈ　Ｅｆｆｉｃｉｅｎｃｙ　Ｐａｒｔｉｃｕｌａｔｅ　Ａｉｒ）フィルタを蛇腹折りしたものである。このフィルタ５０の外周には、図６（Ａ），（Ｂ）に示すように、補強枠５１が設けられるとともに、該補強枠５１の所定位置に切断部５２が設けられ、該フィルタ５０を本体２に対して前面側から側面側にかけて凹字形状に配置できるように構成している。
【００３３】
前記構成の空気清浄機１では、図１に示すように、その内部に、前面カバー３３のスリット３４から前壁４の第１空気流通口１４を通してファン４６の前方に至る第１空気流路５３が形成される。また、側面カバー２４Ａ，２４Ｂのスリット２５から側壁５の第２空気流通口１５を通して後プレート１０と後面カバー３９との間に至る第２空気流路５４が形成される。
【００３４】
そして、前記空気清浄機１を商用電源に接続して空気清浄動作を開始すると、ファンが回転し、空気清浄機１の前方の空気は、前面カバー３３のスリット３４から空気清浄機１内部に吸引される。この前方から吸引された空気は、フィルタ５０の前面部を通過することにより清浄され、前壁４の第１空気流通口１４を通ってファン４６に至る。
【００３５】
また、空気清浄機１の側方の空気は、側面カバー２４Ａ，２４Ｂの多数のスリット２５から空気清浄機１内部に吸引される。この側方から吸引された空気は、フィルタ５０の側面部を通過することにより清浄され、側壁５の第２空気流通口１５を介してファン４６の後方に至る。なお、一部の空気は、フィルタ５０と本体ケース３の側壁５および前壁４との隙間、および、前壁４の第１空気流通口１４を通ってファン４６に至る。
【００３６】
さらに、空気清浄機１の後方の空気は、後面カバー３９の通気孔４０から側面カバー２４Ａ，２４Ｂの内側に吸引される。この後方から吸引された空気は、前記側方から吸引された空気と同様に、フィルタ５０の側面部を通過することにより清浄され、側壁５の第２空気流通口１５を介してファン４６の後方に至る。また、一部の空気は、フィルタ５０と本体ケース３の側壁５および前壁４との隙間、および、前壁４の第１空気流通口１４を通ってファン４６に至る。
【００３７】
このようにしてファン４６に至った空気は、インボリュート通路７を通って上面カバー４３の空気排出口９から空気清浄機１の外部、即ち、室内に循環供給される。
【００３８】
このように、本実施形態の前記空気清浄機１では、第１空気流路５３を介して前方から本体２内に室内の空気が吸引されるとともに、第２空気流路５４を介して側方から本体２内に室内の空気が吸引されるため、吸引する風量および循環供給する風量を増加することができる。具体的には、従来の同じ大きさのファンを搭載した空気清浄機１と比較すると、約１．５倍〜２倍の大きな風量を得ることができる。その結果、大きな風量を得るためにモータ４４やファン４６を大容量のものを使用する必要はない。
【００３９】
次に、前記空気清浄機１を清掃する場合の作業について説明する。
まず、側面カバー２４Ａ，２４Ｂの下部に形成した凹部２６に指を位置させ、前面カバー３３の下部を前向きに引く。これにより、本体２の第２係止孔２２と前面カバー３３の係止部３６との係止を解除し、上向きに若干持ち上げることにより引掛穴２１と引掛部３５との係止状態を解除し、前面カバー３３を取り外すことができる。
【００４０】
ついで、図７（Ａ）に示すように、側面カバー２４Ａ，２４Ｂを本体２に対して前後方向に沿って前面側にスライドさせる。これにより、本体２の係止穴１９に設けた係止突部２０を、側面カバー２４Ａ，２４Ｂの第２係止部２９に設けた係止突部３１が乗り越え、これらの係止が解除されるとともに、本体２の第１係止孔１７に設けた係止舌片１８と、側面カバー２４Ａ，２４Ｂの第１係止部２７とが互いに撓み、これらの係止が解除される。これにより側面カバー２４Ａ，２４Ｂを本体２から取り外すことができる。
【００４１】
または、図７（Ｂ）に示すように、前記第１係止部２７を支点として、側面カバー２４Ａ，２４Ｂを本体２に対して外向きに回動させる。これにより、本体２の係止穴１９に設けた係止突部２０を、側面カバー２４Ａ，２４Ｂの第２係止部２９に設けた係止部３６がその弾性片３０を撓ませることにより乗り越え、これらの係止が解除される。その後、ユーザは、側面カバー２４Ａ，２４Ｂの第１係止部２７を、本体２の第１係止孔１７から引き抜くことにより側面カバー２４Ａ，２４Ｂを本体２から取り外すことができる。
【００４２】
このようにして本体２から前面カバー３３および側面カバー２４Ａ，２４Ｂを取り外すと、内部に配置したフィルタ５０の全体が露出した状態になる。そのため、フィルタ５０を簡単に取り外し、付着した埃などを簡単に清掃することができる。また、側面カバー２４Ａ，２４Ｂや前面カバー３３のスリット２５，３４にも埃などが付着しているが、これらは本体２から分離されているため、水洗いなどによって簡単に清掃できる。
【００４３】
清掃が完了すると、前記とは逆に、まず、前面から側面にかけて広く開口した本体２の段部１２ａ，１３ａにフィルタ５０を配置する。この際、本体２のブラケット壁部６には、後面カバー３９に設けた位置決め片４２が突出しているため、この位置決め片４２と側壁５との間にフィルタ５０の端部を配置することにより、該フィルタ５０の側面部が広がらないように位置決めするとともに、その配置状態を維持できる。
【００４４】
ついで、図７（Ａ）に示すように、前記とは逆に側面カバー２４Ａ，２４Ｂを本体２に対して前後方向に沿って後面側にスライドさせる。これにより、本体２の係止穴１９に設けた係止突部２０と、側面カバー２４Ａ，２４Ｂの第２係止部２９に設けた係止突部３１とが当接するとともに、本体２の第１係止孔１７に設けた係止舌片１８と、側面カバー２４Ａ，２４Ｂの第１係止部２７とが当接する。この状態で、側面カバー２４Ａ，２４Ｂを後面側に押圧することにより、本体２の係止突部２０を側面カバー２４Ａ，２４Ｂの係止突部３１が乗り越え、係止穴１９と第２係止部２９とが係止されるとともに、本体２の第１係止孔１７に設けた係止舌片１８と側面カバー２４Ａ，２４Ｂの第１係止部２７とが互いに撓み、これらが係止される。これにより側面カバー２４Ａ，２４Ｂを本体２に対して取り付けることができる。
【００４５】
または、図７（Ｂ）に示すように、側面カバー２４Ａ，２４Ｂの第１係止部２７を、本体２の第１係止孔１７に差し込む。そして、前記第１係止部２７を支点として、側面カバー２４Ａ，２４Ｂを本体２に対して内向きに回動させ、本体２の係止突部２０と側面カバー２４Ａ，２４Ｂの係止部３６とを当接させる。この状態で側面カバー２４Ａ，２４Ｂを内向きに押圧することにより、弾性片３０を撓ませ、本体２の係止穴１９と側面カバー２４Ａ，２４Ｂの第２係止部２９とを係止する。これにより側面カバー２４Ａ，２４Ｂを本体２に対して取り付けることができる。
【００４６】
このように、本実施形態では、本体２に所定の遊びをもって係止可能な第１係止孔１７と係止穴１９とを設けているため、側面カバー２４Ａ，２４Ｂを本体２に対して前後方向に沿った直線的な着脱作業と、第１係止部２７を支点とした回動方向の着脱作業のいずれでも可能である。そのため、側面カバー２４Ａ，２４Ｂの着脱作業性を向上できる。
【００４７】
このようにして本体２に対して側面カバー２４Ａ，２４Ｂを取り付けると、ついで、前面カバー３３の引掛部３５を本体２の引掛穴２１に上方から差し込むようにして引っ掛ける。その後、前面カバー３３の下部を後向きに押圧することにより、本体２の第２係止孔２２に前面カバー３３の係止部３６を係止する。
【００４８】
そして、この前面カバー３３を本体２に取り付けた状態では、側面カバー２４Ａ，２４Ｂの係止段部３２に、前面カバー３３の外周縁が外嵌するように係止する。そのため、本体２に対して所定の遊びをもって係止している側面カバー２４Ａ，２４Ｂは、その遊びが強制され、本体２に対してガタツキが生じることなく、確実な取付状態が維持される。
【００４９】
【発明の効果】
以上の説明から明らかなように、本発明の空気清浄機では、空気流路として、前記本体の前面側から吸引する第１空気流路と、本体の側面側から吸引する第２空気流路とを設けているため、吸引する風量および循環供給する風量を増加することができる。その結果、大きな風量を得るためにモータやファンを大容量のものを使用する必要はない。
【００５０】
また、前面カバーおよび側面カバーを着脱可能に取り付ける構成としているため、これらのカバーを清掃する際や、フィルタを取り外して清掃する際の作業性を向上できる。特に、側面カバーに、本体ケースに設けた係止孔および係止穴に、所定の遊びをもって係止する第１係止部および第２係止部を設けた構成とすることにより、側面カバーを着脱する作業は、本体に対する前後方向、および、係止部を支点とした回動方向のいずれでも可能になる。その結果、着脱作業性の向上を図ることができる。
【図面の簡単な説明】
【図１】本発明の実施形態に係る空気清浄機を示す断面図である。
【図２】本体ケースを示し、（Ａ）は正面図、（Ｂ）は背面図である。
【図３】本体ケースから側面カバーおよび前面カバーを取り外した状態を示す側面図である。
【図４】図３の部分拡大断面図である。
【図５】図１の空気清浄機を示し、（Ａ）は正面図、（Ｂ）は背面図である。
【図６】フィルタを示し、（Ａ）は延ばした状態を示す斜視図、（Ｂ）は折り曲げた状態を示す斜視図である。
【図７】（Ａ），（Ｂ）は側面カバーの異なる着脱作業方法を示す断面図である。
【符号の説明】
１…空気清浄機、２…本体、３…本体ケース、７…インボリュート通路、９…空気排出口、１０…後プレート、１４…第１空気流通口、１５…第２空気流通口、１６…第３空気流通口、１７…第１係止孔、１９…係止穴、２１…引掛穴、２２…第２係止孔、２４Ａ，２４Ｂ…側面カバー、２７…第１係止部、２９…第２係止部、３２…係止段部、３３…前面カバー、３５…引掛部、３６…係止部、３９…後面カバー、４０…通気孔、４３…上面カバー、４４…モータ、４５…回転軸、４６…ファン、４８…羽根、５０…フィルタ、５３…第１空気流路、５４…第２空気流路。
【図１】
2004069274.tif 000003
【図２】
2004069274.tif 000004
【図３】
2004069274.tif 000005
【図４】
2004069274.tif 000006
【図５】
2004069274.tif 000007
【図６】
2004069274.tif 000008
【図７】
2004069274.tif 000009